(57)【要約】【課題】ベースプレートの高さ位置と略同一の高さ位置まで高流動コンクリートを密実に充填する作業は難しく時間と手間が掛かることを解消する。【解決手段】高さ調整ボルトを備えた高さ調整架台を固定する調整架台固定工程と、下面にアンカーナットを備えたベースプレートを配置するベースプレート配置工程と、ベースプレートの高さ位置、水平位置及び傾きを管理値以内に調整するベースプレート調整工程と、ベースプレートを高さ調整ボルトに固定するベースプレート固定工程と、ベースプレートの中心孔より、ベースプレートの高さ位置と略同一の高さ位置までコンクリートを打設するコンクリート打設工程と、コンクリート上面に無収縮モルタルを塗布するモルタル塗布工程と、無収縮モルタルが固まる前に免震装置をベースプレート上面に乗せ、アンカーナットに固定ボルトを通し、免震装置をベースプレートに固定する免震装置設置工程とからなる。【選択図】図７
2007270443.tif 000002
【特許請求の範囲】
【請求項１】
建築物と地盤とを振動的に絶縁する免震装置を設置する際に、免震装置の下部構造を施工する免震下部構造施工方法であって、
コンクリート基礎上に、高さ調整ボルトを備えた高さ調整架台を固定する調整架台固定工程と、
下面にアンカーナットを備えたベースプレートを配置するベースプレート配置工程と、
前記高さ調整ボルトにより、前記ベースプレートの高さ位置、水平位置及び傾きを管理値以内に調整するベースプレート調整工程と、
前記高さ調整ボルトの調整を固定し、かつ、前記ベースプレートを前記高さ調整ボルトの先端に固定するベースプレート固定工程と、
前記ベースプレートの中心孔より、前記ベースプレートの高さ位置と略同一の高さ位置までコンクリートを打設するコンクリート打設工程と、
コンクリートが固まった後、コンクリート上面に無収縮モルタルを塗布するモルタル塗布工程と、
前記工程により塗布された前記無収縮モルタルが固まる前に前記免震装置を前記ベースプレート上面に乗せ、前記アンカーナットに固定ボルトを通し、前記免震装置を前記ベースプレートに固定する免震装置設置工程と
からなる免震下部構造施工方法。
【請求項２】
コンクリート打設の基準位置に配置され、コンクリート打設後に免震装置を高さ位置、水平位置及び傾きを管理値以内に設置するためのベースプレートであって、
コンクリート充填のために前記ベースプレートの中央部に設けたコンクリート充填孔と、
前記免震装置と前記ベースプレートとを固定する前記固定ボルトを通すために、前記コンクリート充填孔の周囲に等間隔に設けた複数のボルト取付孔と、
前記免震装置と前記ベースプレートとを固定する前記固定ボルトを締結するための、前記ボルト取付孔の下面に溶接取付した前記アンカーナットと
を備えたことを特徴とするベースプレート。
【請求項３】
前記免震装置を水平に設置するために、下面に補強材を備えた、請求項２記載のベースプレート。
【発明の詳細な説明】
【技術分野】
【０００１】
本発明は、免震建築物において、免震装置の下部に設置する免震下部構造施工方法及び免震下部構造施工方法に用いられるベースプレートに関する。
【背景技術】
【０００２】
免震建築物に地震の激しい揺れが建築物に伝わらないようにするためには、上記施工の過程で、免震装置を重力に対して水平に設置しなければならない。
【０００３】
従来、免震装置を水平に設置するためには、免震装置と下部構造との間に、水平を確保するためのベースプレートが必要であると考えられていた。従って、ベースプレートの表面の平面度は重要視されており、ベースプレートの平面度は基準値以下になるよう加工しなければならないという考えが一般的である。
【０００４】
このため、従来は、上述の通り、免震装置を水平に設置するためには、下部構造の平面度の精度が高いことが必須であると考えられていた。平面度の精度を確保するものとして、鋼板製のベースプレートを、免震装置の土台となる下部構造に採用していた。
【０００５】
その一方で、数年前より、ベースプレートを全く使用せずに、打設したコンクリート面の上に直接、免震装置を乗せる施工方法が試みられている。
【０００６】
しかし、打設したコンクリートの表面を、上記ベースプレートに求められる平面度で水平に均す技は、腕の良い左官職人でなければできない職人技である。従って、ベースプレートを使用せず、腕の良い左官職人が下部構造の打設コンクリートの表面を水平に均すことにより、下部構造の平面度が確保できれば、構造的には成功する方法と考えられている。しかし、腕の良い左官職人がいなければ施工できないため、大量に施工を行うことは、現実的には難しい。現状ではベースプレートを用いて行う施工方法の方が安価であり、経済的に成功するには至っていない。
【０００７】
このため、免震装置を設置する土台部分には、鋼版からなるベースプレートが用いられている。鋼板の板厚は３ｍｍ以下になると、ひずみが発生すると考えられている。ひずみが発生した場合には、ひずみ取りが必要となる。ひずみ発生により、平面加工は難しくなり、時間と手間が掛かる。従って、鋼板の加工のし易さから、鋼板の板厚は３ｍｍ以上が望ましいと考えられている。
【０００８】
また、鋼板は高価なものであるにも関わらず、鋼板に一定値以上の板厚が必要であることから、鋼板の使用量を抑えることは難しい。従って、ベースプレートは高価にならざるを得ず、ベースプレート製作コストを削減することは難しい。さらに、最近では、大型の免震装置の採用が増えていることに伴い、ベースプレートの直径も大きくなっている。
【０００９】
ベースプレートの大型化に従って、ベースプレートの高さ位置と略同一の高さ位置までコンクリートを密実に充填するためには、圧入充填口や充填方向、空気抜き孔兼充填確認孔の位置を十分に検討する必要がある。作業の難易度は高く、時間と手間が掛かる。よって、コンクリート充填作業コストを削減することも難しい。
【００１０】
このような状況の下、従来より行われている免震装置の代表的な施行工法に、グラウト充填工法とコンクリート打込み工法とがある（非特許文献１参照）。以下、これらの工法を図面に添って説明する。
【００１１】
図８及び図９は、グラウト充填工法の概略を示す図である。図８には、免震装置８１０が下部ベースプレート８００の上部に配置され、ボルト８３０及びアンカーナット８４０とで固定されている様子が示されている。また、免震装置８１０の上部には建造物２０が同様にボルト８３０及びアンカーナット８４０とで固定されている。レベル調整装置８２０は、下部ベースプレート８００の水平度を調整するものである。
【００１２】
図９は、グラウト充填工法により下部ベースプレートを固定する場合の工程途中を示す図である。グラウト充填工法におけるコンクリート充填は、コンクリート投入口から行わずに下部ナットプレートと基礎型枠の隙間から注ぎ込む形で行う。
【００１３】
従って、ナットプレートはコンクリート投入口を有しない。グラウト充填工法で使用するベースプレート８００は、中央部にコンクリート充填孔を有しないことから、コンクリート又はグラウト材のベースプレートの下部への打設は、立上り基礎型枠９００に設けた圧入充填口からの圧入、又は、ベースプレートと立上り基礎型枠との隙間からのコンクリート又はグラウト材９１０の投入により行われる。なお、図８と同一符号は同一の要素を示している。
【００１４】
コンクリート又はグラウト材９１０は、ベースプレート裏面−３０〜５０ｍｍ程度の位置９２０まで打ち上げる。打設したコンクリート又はグラウト材に、ある程度の強度の発現が確認できたら、ベースプレートとコンクリート又はグラウト材との隙間に、無収縮モルタルの圧入を行う。コンクリート又はグラウト材、及び無収縮モルタルの充填状況の確認は、ベースプレートに設けた空気抜き孔兼充填確認孔等の僅かな隙間から行う。
【００１５】
かかるベースプレートとコンクリート又はグラウト材との隙間に圧入する無収縮モルタルは、高価なため、コストを抑えるためには使用量を抑えることが望ましい。そのためには、無収縮モルタル材の使用を押さえるためには、コンクリート又はグラウト材をベースプレートの高さ位置近傍まで打設すればよい。
【００１６】
しかし、コンクリート又はグラウト材を充填し過ぎ、充填高さがベースプレートの高さ位置を超えてしまった場合において、ベースプレートの厚みが薄い場合には、コンクリート又はグラウト材の圧力により、ベースプレートの中央部が盛り上がる変形を起こすことがある。よって、コンクリート又はグラウト材の打設の際には、無収縮モルタルのための隙間をある程度は用意しておく必要がある。また、ベースプレートの板厚はある程度は必要となる。
【００１７】
逆に、コンクリート又はグラウト材の充填高さが低かった場合には、充填性が低下し空気溜まりができるやすくなる等の問題が生じる。よって、充填高さには注意を必要とする。
【００１８】
以上述べたように、グラウト充填工法においては、コンクリートの充填に時間と手間が掛かるという問題があった。かかる問題点を解決するための工法としてコンクリート打込み工法がある。コンクリート打ち込み工法によれば、コンクリートの充填作業が比較的容易になり、また、高価な無収縮モルタルを使用する必要がなくなる。以下、コンクリート打込み工法について図面を参照しつつ説明する。
【００１９】
図１０は、コンクリート打込み工法で使用するベースプレートを示す図である。コンクリート打込み工法で使用するベースプレート１０００は、中央部に表裏を貫通するコンクリート充填孔１０２０が穿たれている。また、免震装置８１０とベースプレート１０００とを固定する固定ボルトを通すために、コンクリート充填孔１０２０の周囲に等間隔に設けた複数のボルト取付孔３３と、免震装置８１０とベースプレート３０とを固定する固定ボルト８３０を締結するための、ボルト取付孔３３の下面に溶接取付したアンカーナット８４０とを備えている。
【００２０】
図１１及び図１２は、コンクリート打込み工法の概略を示す図である。図１１には、免震装置８１０が下部ベースプレート８００の上部に配置され、ボルト８３０及びアンカーナット８４０とで固定されている様子が示されている。図８と同じ符号は同じものを意味する。
【００２１】
図１２には、コンクリート打込み工法により下部ベースプレートを固定する場合の工程途中が示されている。コンクリート打込み工法では、コンクリートの下部ベースプレート１０００の下部への打設は、ホッパー１２００を用いて、下部ベースプレート１０００の中央部のコンクリート充填孔１０２０からコンクリート１２１０を投入し、ベースプレート裏面まで行われる。よって、コンクリート充填孔の大きさは、ホッパー１２００のコンクリート投入孔の大きさに略同一の大きさであればよい。コンクリート打込み工法においては、コンクリートの充填は、ナットプレートに設けられたコンクリート投入口よりコンクリートを流し込む。最近では、コンクリート打設に使用するコンクリートには、高流動コンクリートが採用されている。また、バイブレータにより締固めを行う方法も多く採られている。高流動コンクリートを用いれば、投入口から投入されたコンクリートが水平方向に拡散するためである。このため、コンクリート充填孔の大きさは、ホッパー１２００によりコンクリートが充填できる大きさであれば足りる。
【００２２】
しかし、この方法でも、コンクリートの充填状況の確認は、前記グラウト充填工法と同様、空気抜き孔兼充填確認孔に頼らざるをえない。作業の難易度は高く、時間と手間が掛かり、コンクリート充填作業コストを削減することは難しい。
【００２３】
また、コンクリート打込み工法は、コンクリートの打設と同時に、中央部からプレート外周方向へコンクリート流れをつくり、プレート下面の気泡を追いやることを基本としている。よって、前記グラウト充填工法と同様、ベースプレートの高さ位置と略同一の高さ位置までコンクリートを密実に充填するためには、圧入充填口や充填方向、空気抜き孔兼充填確認孔の位置を十分に検討する必要がある。
【００２４】
高流動コンクリートの採用により、コンクリートを型枠の隅々まで、自然に流動、充填させることで、充填性を高めるとともに、巻き込む空気量を少なくしている。普通コンクリートを使用する場合には、バイブレータを使う時間が長くなると、かえって巻き込む空気量を増すことになるので注意をする必要がある。また、打込み量が多い時場合、すなわち、打込む高さが大きい場合は、膨張剤を組み合わせたものが使用されている。
【００２５】
当該コンクリート打込み工法で使用する下部ベースプレート１０００の板厚は、前記グラウト充填工法で使用する下部ベースプレート８００の板厚と同一でよい。高流動コンクリート充填し過ぎ、または、高流動コンクリートにいれた膨張剤のために、充填高さがベースプレートの高さ位置を超えてしまった場合において、ベースプレートの厚みが薄い場合には、コンクリート圧力により、ベースプレートの中央部が盛り上がる変形を起こすことがあるからである。前記グラウト充填工法と異なるのは、ベースプレートの高さ位置と略同一の高さ位置よりコンクリート打設高さが高くなった場合には、コンクリート充填孔から盛り上がった部分は、削ればよい点である。充填作業は前記グラウト充填工法よりは簡易になり、時間と手間を減らすことができる。よって、コンクリート充填作業コストを削減することが可能になる。
【００２６】
当該コンクリート打込み工法では、前記グラウト充填工法で使用する無収縮モルタルを使用しないため、高流動コンクリートは、事前にブリージングによる沈下実験を行う必要がある。また、コンクリート充填作業はブリージングによる沈下状況を管理しながらの作業となる。
【非特許文献１】ＪＳＳＩ免震構造施工基準２００５（編集  社団法人  日本免震構造協会、発行  財団法人  経済調査会）
【発明の開示】
【発明が解決しようとする課題】
【００２７】
上述した通り、グラウト充填工法よりはコンクリート打込み工法は優れてはいるものの、ベースプレートの高さ位置と略同一の高さ位置まで高流動コンクリートを密実に充填する作業は難しく時間と手間が掛かる。よって、コンクリート充填作業コストを削減することも難しく、当該コンクリート打込み工法においては、上述のように、コンクリートの充填に時間と手間がかかるという課題があり、免震装置の下部の構造を施工する新たな免震下部構造施工方法が望まれていた。
【課題を解決するための手段】
【００２８】
そこで、本発明に係る免震下部構造施工方法は、建築物と地盤とを振動的に絶縁する免震装置を設置する際に、免震装置の下部構造を施工する免震下部構造施工方法であって、コンクリート基礎上に、高さ調整ボルトを備えた高さ調整架台を固定する調整架台固定工程と、下面にアンカーナットを備えたベースプレートを配置するベースプレート配置工程と、高さ調整ボルトにより、ベースプレートの高さ位置、水平位置及び傾きを管理値以内に調整するベースプレート調整工程と、高さ調整ボルトの調整を固定し、かつ、ベースプレートを高さ調整ボルトの先端に固定するベースプレート固定工程と、ベースプレートの中心孔より、ベースプレートの高さ位置と略同一の高さ位置までコンクリートを打設するコンクリート打設工程と、コンクリートが固まった後、コンクリート上面に無収縮モルタルを塗布するモルタル塗布工程と、工程により塗布された無収縮モルタルが固まる前に免震装置をベースプレート上面に乗せ、アンカーナットに固定ボルトを通し、免震装置をベースプレートに固定する免震装置設置工程とからなる。
【００２９】
また、本発明に係るベースプレートは、コンクリート打設の基準位置に配置され、コンクリート打設後に免震装置を高さ位置、水平位置及び傾きを管理値以内に設置するためのベースプレートであって、コンクリート充填のためにベースプレートの中央部に設けたコンクリート充填孔と、免震装置とベースプレートとを固定する固定ボルトを通すために、コンクリート充填孔の周囲に等間隔に設けた複数のボルト取付孔と、免震装置とベースプレートとを固定する固定ボルトを締結するための、ボルト取付孔の下面に溶接取付したアンカーナットとを備えたことを特徴とする。
【００３０】
また、このベースプレートは、免震装置を水平に設置するために、下面に補強材を備えていてもよい。
【発明の効果】
【００３１】
本発明によれば、コンクリート充填作業コストを削減するとともに、コンクリートの充填に時間と手間がかからない。
【発明を実施するための最良の形態】
【００３２】
本発明に係る免震下部構造施工方法は、新たなベースプレートを用いて下部構造を施工するものである。以下、本発明に係る免震下部構造施工方法を図面に基づいて説明する。
【００３３】
図１は、本発明に係る免震下部構造施工方法を用いて建造物が設置された状態を示す図である。図１には、地盤２２の上にコンクリート基礎２３を打設し、その上に複数個の免震装置８１０を設置する。その免震装置８１０の上に建物２０が建てられた状態が示されている。
【００３４】
図２は、免震装置８１０の全体図である。免震装置８１０は、建築物と地盤とを振動的に絶縁する。設置部１２、１３との間を振動的に絶縁するために絶縁部１１は例えば積層ゴムが用いられる。
【００３５】
図３は、本発明に係る免震下部構造施工方法により下部ベースプレートを設置した状態を示す図である。図３には、図８にて述べたレベル調整装置８２０の詳細が示されている。図３には、調整架台固定工程として、地盤２２上のコンクリート基礎２３上に、高さ調整ボルト４５を備えた高さ調整架台４０を固定する。次に、ベースプレート配置工程として、下面にアンカーナット８４０を備えたベースプレート３０を配置する。このようにして、  コンクリート基礎２３の上にレベル調整用架４０を、アンカー６０で固定して設置を行う。レベル調整用架台４０のレベル調整部５０の上に下部ベースプレート３０を配置する。
【００３６】
さらに、ベースプレート調整工程として、高さ調整用のボルト４５により、ベースプレート３０の高さ位置、水平位置及び傾きを管理値以内に調整する。この管理値としては、例えば、１ｍ幅につき１ｍｍ以内という管理値以内で水平度を保つように調整される。
【００３７】
そして、ベースプレート固定工程として、高さ調整用のボルト４５の調整を固定し、かつ、ベースプレート３０を高さ調整用のボルト３０の先端に固定する。
【００３８】
図４は、本発明に係る免震下部構造施工方法に用いられるベースプレートの全体図である。図４には、コンクリート打設の基準位置に配置され、コンクリート打設後に免震装置８１０を高さ位置、水平位置及び傾きを管理値以内に設置するためのベースプレート３０であって、コンクリート充填のためにベースプレートの中央部に設けたコンクリート充填孔３２と、免震装置８１０とベースプレート３０とを固定する固定ボルトを通すために、コンクリート充填孔の周囲に等間隔に設けた複数のボルト取付孔３３と、免震装置８１０とベースプレート３０とを固定する固定ボルト８３０を締結するための、ボルト取付孔３３の下面に溶接取付したアンカーナット８４０とを備えている。
【００３９】
本発明に係る免震下部構造施工方法に用いられるベースプレート３０のコンクリート充填孔３２は、コンクリート打込み工法のコンクリート充填孔１０２０のように、コンクリートを充填するためだけのみならず、コンクリートの充填状況の確認を行うことができるよう、孔を大きく設けている。この孔により、充填作業は簡易になり、時間と手間を減らすことができる。よって、コンクリート充填作業コストを削減することが可能になる。
【００４０】
図５は、本発明に係る免震下部構造施工方法に用いられる他のベースプレートの全体図である。補強材３４は、従来のコンクリート打込み工法用下部ベースプレートよりも、穴が大きく、鋼板の薄さが薄いため、その補強として用いるものである。補強材３４は、ベースプレート３０のひずみやたわみを防止することを目的とする。当該補強材３４は、ベースプレート３０の設置前に、事前にベースプレート３０の下面に溶接取付しておく。
【００４１】
図６及び図７は、本発明に係る免震下部構造施工方法を説明する説明図である。免震建築物の下部構造の施工は、地盤の上に捨てコンクリートを打設した後、墨出しを行い、基礎配筋及び基礎型枠を組み立て、コンクリート基礎２３を打設した後、基礎型枠を解体を行い、ベースプレートの墨出しを行い、レベル調整用架台４０の架台部を固定用アンカー６０を用いて固定し（図３参照）、立上り基礎配筋をした上に、下面にアンカーナット８４０を溶接取付したベースプレート３０を設置し、レベル調整部５０にて平面位置、高さ位置及び傾きの調整を行った後、レベル調整部５０とベースプレート３０とをボルト４５で固定し、立上り基礎配筋の追加及び立上り基礎型枠を組み立てた後、立上り基礎へのコンクリートを打設、すなわち、ベースプレート３０の下部にコンクリートを打設することにより行われる。
【００４２】
図６には、免震装置８１０が下部ベースプレート８００の上部に配置され、ボルト８３０及びアンカーナット８４０とで固定されている様子が示されている。また、免震装置８１０の上部には建造物２０が同様にボルト８３０及びアンカーナット８４０とで固定されている。レベル調整装置８２０は、下部ベースプレート８００の水平度を調整するものである。
【００４３】
ナットプレートフレーム工法におけるコンクリート充填工法は、ナットプレートに設けられたコンクリート投入口よりコンクリートを流し込む。このとき用いるコンクリートは、通常のコンクリートである。
【００４４】
図７では、本発明に係る免震下部構造施工方法において、コンクリート充填孔３２の孔からコンクリートを流し込む状態を示している。当該ナットプレートフレーム工法では、コンクリートのベースプレートの下部への打設は、コンクリート打込み工法と同様の方法で行う。ただし、中央部のコンクリート投入孔の部分のコンクリート打設は、ベースプレートの天端から０〜±１ｍｍ程度まで行う。コンクリートの打設確認後、上面に無収縮モルタルを薄く塗り、その上に免震装置８１０を設置する。
【００４５】
図７には、ベースプレート３０の充填孔３２より、ベースプレート３０の高さ位置と略同一の高さ位置までコンクリート投入装置７０５によりコンクリート７１０を打設するコンクリート打設工程と、コンクリート７１０が固まった後、コンクリート上面に無収縮モルタル７２０を塗布するモルタル塗布工程が示されている。
【００４６】
ここで図６に戻る。免震建築物の上部構造の施工は、一般に、上記下部構造の上に免震装置８１０を設置し、ベースプレート３０と免震装置８１０とをボルト８３０で固定した後、免震装置８１０の上に上面にアンカーナット８４０を溶接取付したベースプレート３０を設置し、平面位置の調整を行った後、平面位置、高さ位置及び傾きの調整を行った後、免震装置８１０と上部ベースプレートとをボルト８３０で固定し、その上に建造物を建てる
【００４７】
図６には、免震装置設置工程として、モルタル塗布工程により塗布された無収縮モルタル７２０が固まる前に免震装置８１０をベースプレート３０上面に乗せ、アンカーナット８４０に固定ボルト８３０を通し、免震装置８１０をベースプレート３０に固定する工程が施された状態が示されている。さらに、ボルトナットの接続により建造物２０が上部に配置されることになる。
【００４８】
免震装置は、設置を際に重機を用いて行う程に非常に重い機械である。従って、ベースプレートの際に天端から０〜±１ｍｍ程度コンクリートが盛り上がるか、あるいはへこんでいても、無収縮モルタルを薄く塗り免震装置を乗せることにより、その高さ位置は０ｍｍになる。
【００４９】
無収縮モルタルは、上述の通り、高価なものであるが、当該ナットプレートフレーム工法においては、その使用量はグラウト充填工法と比較して遙かに少なくて済むので、コストにはそれほどの影響を与えない。
【００５０】
以上のように、本発明のベースプレートは、免震装置を水平に設置するためには、下部構造の平面度に従来のような高精度は必要が無いという考えの基づき、発明されたものである。
ベースプレートを全く設置しない場合には、コンクリートの打設高さが不明になる。また、免震装置と下部構造とを固定することができなくなる。
【００５１】
本発明のベースプレート３０は、コンクリートの打設高さのガイドとしての役割を果たし、また、アンカーナット８４０を取り付ておくことで、免震装置と下部構造とを固定することを可能にする。
【産業上の利用可能性】
【００５２】
また、従来は、地震による建造物の振動は、建築物から上部構造のアンカーナット、スタッドボルト、ベースプレートを伝わり、免震装置へと伝わると考えられていたが、本発明のベースプレートは、地震による建造物及び地盤の振動は、建造物から上部構造のアンカーナット、スタッドボルトから直接、免震装置の振動へと伝わり、ベースプレートを経由しないとの考え基づき、発明されたものであり、免震装置の設置の分野で幅広い利用の可能性がある。
【図面の簡単な説明】
【００５３】
【図１】本発明に係る免震下部構造施工方法を用いて建造物が設置された状態を表した図である。
【図２】免震装置の全体図である。
【図３】本発明に係る免震下部構造施工方法により下部ベースプレートを設置した状態を示す図である。
【図４】本発明に係る免震下部構造施工方法に用いられるベースプレートの全体図である。
【図５】本発明に係る免震下部構造施工方法に用いられる他のベースプレートの全体図である。
【図６】本発明に係る免震下部構造施工方法を説明する説明図である。
【図７】本発明に係る免震下部構造施工方法を説明する説明図である。
【図８】グラウト充填工法の概略を示す図である。
【図９】グラウト充填工法の概略を示す図である。
【図１０】コンクリート打込み工法で使用するベースプレートを示す図である。
【図１１】コンクリート打込み工法の概略を示す図である。
【図１２】コンクリート打込み工法の概略を示す図である
【符号の説明】
【００５４】
１０  免震装置
１１  絶縁部
１２、１３  設置部
２０  建築物
２２  地盤
２３  コンクリート基礎
３０  ベースプレート
３２  コンクリート充填孔
３３  ボルト取付け孔
３４  補強材
３５  アンカーナット
４０  レベル調整用架台
４５  レベル調整用ボルト
５０  レベル調整部
６０  アンカー
７０  コンクリート打込工法用下部ベースプレート
８０  コンクリート投入口
９０  ナットプレートフレーム工法用下部ベースプレート
６００  ベースプレート
６２０  コンクリート充填孔
７０５  コンクリート投入装置
７１０  コンクリート
７２０  無収縮モルタル
８１０  免震装置
８２０  レベル調整装置
８３０  ボルト
８４０  アンカーナット
９００  立上り基礎型枠
９１０  コンクリート又はグラウト材
１０００  ベースプレート
１０２０  コンクリート充填孔
１２００  ホッパー
１２１０  コンクリート
【図１】
2007270443.tif 000003
【図２】
2007270443.tif 000004
【図３】
2007270443.tif 000005
【図４】
2007270443.tif 000006
【図５】
2007270443.tif 000007
【図６】
2007270443.tif 000008
【図７】
2007270443.tif 000009
【図８】
2007270443.tif 000010
【図９】
2007270443.tif 000011
【図１０】
2007270443.tif 000012
【図１１】
2007270443.tif 000013
【図１２】
2007270443.tif 000014